Podtech/llm-jp-corpus-v4-ja_patent huggingface dataset:
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
三次元オブジェクトプリンタであって、
材料を排出するように構成された複数のインクジェットを有する少なくとも１つのプリントヘッドと、
選択的に回転するように構成されたシャフトと、
前記シャフトの円形断面との接線で光を発するように配置された少なくとも１つの光源と、
前記シャフトの前記円形断面との前記接線上で光を受け取るように配置された少なくとも１つの光センサと、
前記少なくとも１つのプリントヘッド、前記シャフト、前記少なくとも１つの光源、および前記少なくとも１つの光センサに動作可能に接続されたコントローラとを備え、
前記コントローラは、前記シャフト上に材料を排出するように前記少なくとも１つのプリントヘッド内の前記インクジェットの第１のグループを動作させ、前記シャフト上の材料が前記少なくとも１つの光源と前記少なくとも１つの光センサとの間で前記シャフトの前記円形断面との前記接線上に存在して、前記少なくとも１つの光センサが前記シャフト上の複数の位置で材料の高さを示す信号を生成できる位置に前記シャフトを回転させ、前記少なくとも１つの光センサによって生成され前記信号を期待される高さの値と比較して、前記少なくとも１つのプリントヘッド内の動作不能なインクジェットを識別するように構成される、三次元オブジェクトプリンタ。
【請求項２】
ワイパーをさらに備え、前記コントローラは前記ワイパーに動作可能に接続され、前記コントローラはさらに、前記シャフト上に排出された前記材料を前記シャフトから除去するために前記ワイパーを動かすように構成される、請求項１に記載の三次元オブジェクトプリンタ。
【請求項３】
前記コントローラはさらに、前記少なくとも１つの光センサが前記シャフト上の前記複数の位置で材料の前記高さを示す信号を生成できる前記位置に前記シャフトを回転させた後、前記シャフト上に材料を排出するように前記少なくとも１つのプリントヘッド内のインクジェットの第２のグループを動作させるように構成され、インクジェットの前記第１のグループは、インクジェットの前記第２のグループと異なる、請求項２に記載の三次元オブジェクトプリンタ。
【請求項４】
前記少なくとも１つのプリントヘッドに動作可能に接続されたアクチュエータをさらに備え、前記コントローラは、前記アクチュエータに動作可能に接続され、前記コントローラはさらに、前記少なくとも１つのプリントヘッド内の前記複数のインクジェットが前記シャフト上に材料を排出できるように、前記アクチュエータを動作させて、前記少なくとも１つのプリントヘッドが駆動されてオブジェクトを構築するエリアから前記シャフトに最も近い位置に前記少なくとも１つのプリントヘッドを動かすように構成される、請求項１に記載の三次元オブジェクトプリンタ。
【請求項５】
前記コントローラはさらに、前記少なくとも１つのプリントヘッドが駆動されてオブジェクトを構築する前記エリアにおいて前記少なくとも１つのプリントヘッドが所定数の動作を行った後、前記アクチュエータを動作させて、前記シャフトに最も近い前記位置に前記少なくとも１つのプリントヘッドを動かすように構成される、請求項４に記載の三次元オブジェクトプリンタ。
【請求項６】
前記コントローラはさらに、インクジェットの前記第１のグループを２回以上の所定回数動作させて、インクジェットの前記第１のグループに対応する、前記シャフト上の複数の位置に材料を蓄積させるように構成される、請求項５に記載の三次元オブジェクトプリンタ。
【請求項７】
前記少なくとも１つの光源および前記少なくとも１つの光センサは、前記シャフトの縦方向の長さに沿って移動するように構成される、請求項１に記載の三次元オブジェクトプリンタ。
【請求項８】
前記少なくとも１つの光源はさらに、前記シャフト上の前記複数の位置に対応するように配置された複数の発光器を含み、
前記少なくとも１つの光センサはさらに、前記複数の発光器と向き合うように配置された複数の光受容器を含む、請求項１に記載の三次元オブジェクトプリンタ。
【請求項９】
前記複数の光源および前記複数の光受容器はそれぞれ、前記シャフトの縦方向の長さ全体に亘って線形アレイに並べられる、請求項８に記載の三次元オブジェクトプリンタ。
【請求項１０】
前記複数の光受容器および前記複数の光受容器はそれぞれ、前記シャフトの縦方向の長さ全体に亘って二次元アレイに並べられる、請求項８に記載の三次元オブジェクトプリンタ。
【請求項１１】
前記シャフトはさらに、排出された液滴と前記シャフトの三次元画像データを前記少なくとも１つの光センサで生成できるように、前記少なくとも１つの光源と前記少なくとも１つの光センサとの間で３つの位置を通って回転するように構成される、請求項８に記載の三次元オブジェクトプリンタ。
【手続補正書】
【提出日】平成29年12月5日(2017.12.5)
【手続補正１】
【補正対象書類名】特許請求の範囲
【補正対象項目名】請求項１
【補正方法】変更
【補正の内容】
【請求項１】
家畜を立った状態で収容する枠体と、
収容された家畜から上方に離れた位置で前記枠体に支持され、家畜の前後に沿って延設されるガイドレールと、
前記ガイドレールに沿って移動自在に支持される移動部材と、
測定対象部位への当接部材が一端側に取り付けられた帯状の測定具と、
前記移動部材に設けられ、前記測定具の一端側を基準引き出し端から下向きに引き出し自在に保持する測定具保持部とを備え、
前記当接部材を家畜の測定対象部位に当接させた状態で、前記基準引き出し端における前記測定具の目盛りを読み取ることで、家畜の部位高さを測定することを特徴とする家畜の部位高さ測定器具。
【手続補正２】
【補正対象書類名】明細書
【補正対象項目名】０００８
【補正方法】変更
【補正の内容】
【０００８】
このような目的を達成するために、本発明による家畜の部位高さ測定器具は、以下の構成を具備するものである。
家畜を立った状態で収容する枠体と、収容された家畜から上方に離れた位置で前記枠体に支持され、家畜の前後に沿って延設されるガイドレールと、前記ガイドレールに沿って移動自在に支持される移動部材と、測定対象部位への当接部材が一端側に取り付けられた帯状の測定具と、前記移動部材に設けられ、前記測定具の一端側を基準引き出し端から下向きに引き出し自在に保持する測定具保持部とを備え、前記当接部材を家畜の測定対象部位に当接させた状態で、前記基準引き出し端における前記測定具の目盛りを読み取ることで、家畜の部位高さを測定することを特徴とする家畜の部位高さ測定器具。
【手続補正３】
【補正対象書類名】明細書
【補正対象項目名】００１３
【補正方法】変更
【補正の内容】
【００１３】
枠体２は、家畜Ｍを立った状態で収容する設備である。図示の例では、枠体２は縦枠２Ａと横枠２Ｂによって構成しているが、その形態は特に限定されるものではなく、牛舎内の既存の設備などであってもよい。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
一つのルックアップテーブルを構成する格子点データを、格子点座標を構成する軸の数をＭとし、２Ｍ個で表される複数バンクのメモリにロードしてデータ処理を実行するデータ処理装置であって、
ロード対象の格子点データとレジスタアドレスを受信する受信手段と、
前記受信手段により受信されたレジスタアドレスを、各バンクのメモリに格納される格子点データの個数に基づいてバンク指定とメモリアドレスに変換する変換手段と、
前記変換手段により得られたバンク指定とメモリアドレスにしたがって、前記ロード対象の格子点データを前記複数バンクのメモリに記憶する記憶手段と、を備えることを特徴とするデータ処理装置。
【請求項２】
前記レジスタアドレスは、前記一つのルックアップテーブルを構成する全ての格子点データに連続したレジスタアドレスが割り当てられ、且つ、前記複数バンクの各々に分類された格子点データ群に連続したレジスタアドレスが割り当てられるように、格子点座標に対応して割り当てられることを特徴とする請求項１に記載のデータ処理装置。
【請求項３】
前記一つのルックアップテーブルを構成する格子点データにレジスタアドレスを割り当てる割当手段をさらに備えることを特徴とする請求項２に記載のデータ処理装置。
【請求項４】
前記変換手段は、前記レジスタアドレスを、前記複数バンクの各々に属する格子点データの個数に応じた閾値と比較することにより、前記バンク指定と前記メモリアドレスを決定することを特徴とする請求項１乃至３のいずれか１項に記載のデータ処理装置。
【請求項５】
前記変換手段は、前記レジスタアドレスを、１つの格子点データに割り当てられているレジスタアドレスの個数で割った値を前記閾値と比較することにより前記バンク指定と前記メモリアドレスを決定することを特徴とする請求項４に記載のデータ処理装置。
【請求項６】
前記複数バンクの各々のメモリは、前記複数バンクの各々に属する格子点データの個数にしたがった、異なる容量を有することを特徴とする請求項１乃至５のいずれか１項に記載のデータ処理装置。
【請求項７】
前記一つのルックアップテーブルを構成する格子点データの前記複数バンクへの分類は、格子点座標を構成する各軸の座標値の奇数と偶数の組み合わせに基づいており、軸の数は３軸でありバンクの個数は８バンクであることを特徴とする請求項１乃至６のいずれか１項に記載のデータ処理装置。
【請求項８】
前記変換手段は、１軸当たりのグリッド数が異なる複数種類のルックアップテーブルのうちの１つを指示する指示情報にしたがって、前記レジスタアドレスをバンク指定とメモリアドレスへ変換するための方法を切り替えることを特徴とする請求項１乃至７のいずれか１項に記載のデータ処理装置。
【請求項９】
前記変換手段は、前記レジスタアドレスを、前記複数バンクの各々に属する格子点データの個数に基づいて設定された閾値のセットと比較することにより、前記バンク指定と前記メモリアドレスを決定し、
前記指示情報にしたがって、前記閾値のセットを切り替えることを特徴とする請求項８に記載のデータ処理装置。
【請求項１０】
前記変換手段は、前記レジスタアドレスを、前記複数バンクの各々に属する格子点データの個数に基づいて設定された閾値のセットと比較することにより、前記バンク指定と前記メモリアドレスを決定し、
前記閾値のセットを保持する保持手段と、
前記保持手段に保持される閾値のセットを、前記複数バンクのメモリにロードするルックアップテーブルに応じて変更する変更手段と、をさらに備えることを特徴とする請求項１乃至７のいずれか１項に記載のデータ処理装置。
【請求項１１】
入力データに基づいて得られる格子点座標に基づいて、前記複数バンクのメモリから複数の格子点データを同時に読み出す読出手段と、
前記読出手段により読み出された複数の格子点データを用いて補間処理を行い前記入力データに対する変換データを得る補間手段と、をさらに備えることを特徴とする請求項１乃至１０のいずれか１項に記載のデータ処理装置。
【請求項１２】
一つのルックアップテーブルを構成する格子点データを、格子点座標を構成する軸の数をＭとし、２Ｍ個で表される複数バンクのメモリにロードしてデータ処理を実行するデータ処理装置の制御方法であって、
ロード対象の格子点データとレジスタアドレスを受信する受信工程と、
前記受信工程で受信されたレジスタアドレスを、各バンクのメモリで格納される格子点データの個数に基づいてバンク指定とメモリアドレスに変換する変換工程と、
前記変換工程で得られたバンク指定とメモリアドレスにしたがって、前記ロード対象の格子点データを前記複数バンクのメモリに記憶する記憶工程と、を有することを特徴とするデータ処理装置の制御方法。
【請求項１３】
コンピュータに、請求項１２に記載された制御方法の各工程を実行させるためのプログラム。
【手続補正２】
【補正対象書類名】明細書
【補正対象項目名】００１０
【補正方法】変更
【補正の内容】
【００１０】
上記の目的を達成するために本発明の一態様による画像処理装置は以下の構成を備える。すなわち、
一つのルックアップテーブルを構成する格子点データを、格子点座標を構成する軸の数をＭとし、２Ｍ個で表される複数バンクのメモリにロードしてデータ処理を実行するデータ処理装置であって、
ロード対象の格子点データとレジスタアドレスを受信する受信手段と、
前記受信手段により受信されたレジスタアドレスを、各バンクのメモリに格納される格子点データの個数に基づいてバンク指定とメモリアドレスに変換する変換手段と、
前記変換手段により得られたバンク指定とメモリアドレスにしたがって、前記ロード対象の格子点データを前記複数バンクのメモリに記憶する記憶手段と、を備える。
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
仮想空間に配置された複数の仮想ディスプレイをヘッドマウント・ディスプレイに表示する表示部と、
前記ヘッドマウント・ディスプレイが具備する検出器で検出される動きに応じて、前記仮想ディスプレイの内１つを選択する選択部と、
前記選択された仮想ディスプレイに関連付けられるコンテンツを再生する再生部と
を備える、コンテンツ視聴のための装置。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
複数の樹脂層からなる化粧シートにおいて、トップコート層を、超臨界逆相蒸発法によってベシクルに分散剤を内包させた分散剤内包ベシクルと、無機微粒子とを添加して形成し、
前記分散剤が、水酸基またはアミノ基を有することを特徴とする化粧シート。
【請求項２】
前記無機微粒子が、前記トップコート層の主成分である樹脂組成物１００重量部に対して０．１〜３０重量部配合されていることを特徴とする請求項１に記載の化粧シート。
【請求項３】
前記ベシクルが、リン脂質からなる外膜を具備するリポソームであることを特徴とする請求項１または請求項２に記載の化粧シート。
【請求項４】
前記トップコート層の主成分である樹脂組成物が、硬化型樹脂であることを特徴とする請求項２または請求項３に記載の化粧シート。
【請求項５】
前記化粧シートが、結晶性ポリプロピレン樹脂を主成分とする透明樹脂層を少なくとも具備しており、
前記透明樹脂層は、超臨界逆相蒸発法によってベシクルに造核剤を内包させた造核剤内包ベシクルを添加して形成されていることを特徴とする請求項１乃至４のいずか１項に記載の化粧シート。
【請求項６】
複数の樹脂層からなる化粧シートの製造方法であって、トップコート層を、超臨界逆相蒸発法によってベシクルに分散剤を内包させた分散剤内包ベシクルと、無機微粒子とを添加して形成するとともに、前記分散剤が、水酸基またはアミノ基を有することを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築物の外装および内装に用いられる建装材、建具の表面、家電品の表面材などに用いられる化粧シートおよび化粧シートの製造方法に関するもので、水酸基またはアミノ基をもつ分散剤と無機微粒子とを添加してなるトップコート層を備えた化粧シートおよび化粧シートの製造方法に関する。
【手続補正４】
【補正対象書類名】明細書
【補正対象項目名】０００６
【補正方法】変更
【補正の内容】
【０００６】
そこで、本発明においては、意匠性の観点から高い透明性と、表面の耐擦傷性およびＶ溝曲げ加工等の後加工の影響を受けない耐後加工性とに優れたトップコート層を有する化粧シートおよび化粧シートの製造方法を提供することを目的とする。
【手続補正５】
【補正対象書類名】明細書
【補正対象項目名】０００７
【補正方法】変更
【補正の内容】
【０００７】
本発明者等は鋭意検討の結果、トップコート層を、超臨界逆相蒸発法によってベシクルに分散剤を内包させた分散剤内包ベシクルと無機微粒子とを添加して形成することにより、トップコート層においてこれらの微粒子の分散性を著しく向上させることに成功し、高い透明性と優れた機械的特性を示すことを見出した。さらに、当該超臨界逆相蒸発法によってベシクルに分散剤を内包させた分散剤内包ベシクルの分散剤が、水酸基またはアミノ基を有しているものとすることにより、当該分散剤とトップコート層に含まれる熱硬化型樹脂とが反応してトップコート層の表面に無機微粒子を固定化し優れた耐擦傷性を得られることを見出し本発明を完成させた。
【手続補正６】
【補正対象書類名】明細書
【補正対象項目名】０００９
【補正方法】変更
【補正の内容】
【０００９】
上記課題を解決するべく、本発明の第１の形態の化粧シートは、複数の樹脂層からなる化粧シートにおいて、トップコート層を、超臨界逆相蒸発法によってベシクルに分散剤を内包させた分散剤内包ベシクルと、無機微粒子とを添加して形成し、前記分散剤が、水酸基またはアミノ基を有することを特徴とする。
【手続補正７】
【補正対象書類名】明細書
【補正対象項目名】００１０
【補正方法】変更
【補正の内容】
【００１０】
このような、本発明の第１の形態の化粧シートとすることにより、トップコート層を、超臨界逆相蒸発法によってベシクルに分散剤を内包させた分散剤内包ベシクルと、無機微粒子とを添加して形成することで、当該分散剤内包ベシクルの分散剤が無機微粒子の二次凝集を抑制し、トップコート層の主成分である樹脂組成物に対して均一に分散させて優れた透明性を実現することができる。さらには、無機微粒子によって、トップコート層の耐擦傷性を向上させることができる。また、分散剤を水酸基またはアミノ基を有する分散剤とすることにより、無機微粒子をトップコート層の表面に固定化させることができるので、極めて耐擦傷性に優れた化粧シートを提供することができる。
【手続補正８】
【補正対象書類名】明細書
【補正対象項目名】００１７
【補正方法】変更
【補正の内容】
【００１７】
本発明の第５の形態の化粧シートは、前記化粧シートが、結晶性ポリプロピレン樹脂を主成分とする透明樹脂層を少なくとも具備しており、前記透明樹脂層は、超臨界逆相蒸発法によってベシクルに造核剤を内包させた造核剤内包ベシクルを添加して形成されていることを特徴とする。このような、本発明の第５の形態の化粧シートとすることにより、優れた透明性、耐擦傷性および耐後加工性を有する透明樹脂層を具備した化粧シートを提供することができる。
【手続補正９】
【補正対象書類名】明細書
【補正対象項目名】００１８
【補正方法】変更
【補正の内容】
【００１８】
本発明の化粧シートの製造方法は、複数の樹脂層からなる化粧シートの製造方法であって、トップコート層を、超臨界逆相蒸発法によってベシクルに分散剤を内包させた分散剤内包ベシクルと、無機微粒子とを添加して形成するとともに、前記分散剤が、水酸基またはアミノ基を有することを特徴とする。
【手続補正１０】
【補正対象書類名】明細書
【補正対象項目名】００１９
【補正方法】変更
【補正の内容】
【００１９】
本発明においては、意匠性の観点から高い透明性と、表面の耐擦傷性およびＶ溝曲げ加工等の後加工の影響を受けない耐後加工性とに優れたトップコート層を有する化粧シートおよび化粧シートの製造方法を提供することを可能とする。
【手続補正１１】
【補正対象書類名】明細書
【補正対象項目名】００２１
【補正方法】変更
【補正の内容】
【００２１】
本発明の化粧シートは、複数の樹脂層からなる化粧シートにおいて、トップコート層を、超臨界逆相蒸発法によってベシクルに分散剤を内包させた分散剤内包ベシクルと、無機微粒子とを添加して形成するとともに、当該分散剤が水酸基またはアミノ基を有していることが重要である。
【手続補正１２】
【補正対象書類名】明細書
【補正対象項目名】００８１
【補正方法】変更
【補正の内容】
【００８１】
本発明の化粧シートおよび化粧シートの製造方法は、上記の実施形態および実施例に限定されるものではなく、発明の特徴を損なわない範囲において、種々の変更が可能である。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
複数サイズのシートに対する印刷を実行可能な画像形成装置であって、
電子メールを受信する受信手段と、
前記受信手段が受信した電子メールに関する受信情報を生成する生成手段と、
前記受信情報を印刷するか否かの設定を受け付ける受け付け手段と、
前記受け付け手段によって受け付けた設定に対応する少なくとも１つのシートサイズから、前記受信した電子メールに添付されている画像の印刷に用いるシートのシートサイズを設定する設定手段と、
前記受信情報を印刷しない設定を受け付けることに従って、前記複数のシートサイズを設定可能にし、前記受信情報を印刷する設定を受け付けることに従って、短辺の長さが所定の長さ以上であるシートサイズを前記設定手段によって設定可能にし、且つ、短辺の長さが所定の長さに満たないシートサイズを前記設定手段によって設定不能に制御する制御手段と、
を備えることを特徴とする画像形成装置。
【請求項２】
前記受け付け手段は、前記受信手段が電子メールを受信する前に前記受信情報を印刷するか否かの設定を受け付けることを特徴とする請求項１に記載の画像形成装置。
【請求項３】
前記受信情報は、送信元の電子メールアドレスを示す文字列を含むことを特徴とする請求項１又は２に記載の画像形成装置。
【請求項４】
前記受信情報は、受信日時を示す文字列を含むことを特徴とする請求項１乃至３のいずれか１項に記載の画像形成装置。
【請求項５】
前記受け付け手段によって受け付けた設定に対応する少なくとも１つのシートサイズを選択可能に表示する表示手段を更に有し、
前記制御手段は、前記受信情報を印刷する設定を受け付けることに基づいて、短辺の長さが所定の長さ以上であるシートサイズを前記表示手段に選択可能に表示させることを特徴とする請求項１乃至４のいずれか１項に記載の画像形成装置。
【請求項６】
前記表示手段に表示されたシートサイズがユーザによって選択されることで、前記設定手段におけるシートサイズの設定が行われることを特徴とする請求項５に記載の画像形成装置。
【請求項７】
前記表示手段において前記シートサイズの選択候補は、一覧で表示されることを特徴とする請求項５または６に記載の画像形成装置。
【請求項８】
不定形サイズとしてシートサイズを受け付けるサイズ受け付け手段を更に有し、
前記制御手段は、前記サイズ受け付け手段によって受け付けたシートサイズの短辺の長さが所定の長さ以上であっても、前記サイズ受け付け手段によって受け付けたシートサイズを前記表示手段に選択可能に表示させないことを特徴とする請求項５乃至７のいずれか１項に記載の画像形成装置。
【請求項９】
印刷に用いるシートを保持する保持部を更に有し、
前記設定手段で設定されたシートサイズが前記保持部に保持されていない場合に、シートの交換を促すための画面を表示することを特徴とする請求項１乃至８のいずれか１項に記載の画像形成装置。
【請求項１０】
印刷に用いるシートを保持する保持部を更に有し、
前記設定手段で設定されたシートサイズが前記保持部に保持されていない場合に、印刷される前記受信情報の文字列の並びと平行となる辺の長さが前記設定手段で設定されたシートサイズよりも大きいシートサイズを用いて印刷するよう制御する印刷制御手段を備えることを特徴とする請求項１乃至８のいずれか１項に記載の画像形成装置。
【請求項１１】
前記複数サイズのシートの各々の短辺の長さを記憶する記憶手段を更に備え、
前記制御手段は、前記記憶手段によって記憶された前記シートの短辺の長さが所定の長さ以上であるシートサイズを前記設定手段によって設定可能にすることを特徴とする請求項１乃至１０のいずれか１項に記載の画像形成装置。
【請求項１２】
前記所定の長さは、１８２ｍｍであることを特徴とする請求項１乃至１１のいずれか１項に記載の画像形成装置。
【請求項１３】
前記受信手段が受信した電子メールに添付されている画像を印刷する場合に、前記生成手段が生成する受信情報を印刷するか否かを設定する第２の設定手段を更に備えることを特徴とする請求項１乃至１２のいずれか１項に記載の画像形成装置。
【請求項１４】
前記第２の設定手段により前記受信情報を印刷しないことが設定された場合は、前記制御手段は、印刷される前記受信情報の文字列の並びと平行となる辺の長さが前記所定の長さに満たないサイズを前記設定手段によって設定可能にすることを特徴とする請求項１３に記載の画像形成装置。
【請求項１５】
複数サイズのシートに対する印刷を実行可能な画像形成装置の制御方法であって、
電子メールを受信する受信工程と、
前記受信工程が受信した電子メールに関する受信情報を生成する生成工程と、
前記受信情報を印刷するか否かの設定を受け付ける受け付け工程と、
前記受け付け工程によって受け付けた設定に対応する少なくとも１つのシートサイズから、前記受信した電子メールに添付されている画像の印刷に用いるシートのシートサイズを設定する設定工程と、
前記受信情報を印刷しない設定を受け付けることに従って、前記複数のシートサイズを設定可能にし、前記受信情報を印刷する設定を受け付けることに従って、短辺の長さが所定の長さ以上であるシートサイズを前記設定工程によって設定可能にし、且つ、短辺の長さが所定の長さに満たないであるシートサイズを前記設定工程によって設定不能に制御する制御工程と、
を備えることを特徴とする画像形成装置の制御方法。
【請求項１６】
請求項１５に記載の画像形成装置の制御方法をコンピュータに実行させるためのプログラム。
【手続補正２】
【補正対象書類名】明細書
【補正対象項目名】００１１
【補正方法】変更
【補正の内容】
【００１１】
上記の目的を達成するために本発明の画像形成装置は、複数サイズのシートに対する印刷を実行可能な画像形成装置であって、電子メールを受信する受信手段と、受信手段が受信した電子メールに関する受信情報を生成する生成手段と、受信情報を印刷するか否かの設定を受け付ける受け付け手段と、受け付け手段によって受け付けた設定に対応する少なくとも１つのシートサイズから、受信した電子メールに添付されている画像の印刷に用いるシートのシートサイズを設定する設定手段と、受信情報を印刷しない設定を受け付けることに従って、複数のシートサイズを設定可能にし、受信情報を印刷する設定を受け付けることに従って、短辺の長さが所定の長さ以上であるシートサイズを設定手段によって設定可能にし、且つ、短辺の長さが所定の長さに満たないシートサイズを設定手段によって設定不能に制御する制御手段と、を備えることを特徴とする。
【手続補正書】
【提出日】平成30年11月6日(2018.11.6)
【手続補正１】
【補正対象書類名】特許請求の範囲
【補正対象項目名】請求項１
【補正方法】変更
【補正の内容】
【請求項１】
予め定められた方向に予め定められたピッチで配列された複数の記録素子を備えた記録ヘッドを搭載し、前記記録ヘッドを記録媒体に対して相対的に走査しながら、前記記録媒体に前記記録ヘッドからインクを吐出することにより画像を記録する記録装置であって、
前記記録ヘッドの走査方向に関する記録解像度に対応する時間を、ある駆動タイミングで駆動される前記複数の記録素子のうちの１つの記録素子と次の駆動タイミングで駆動される前記複数の記録素子のうちの別の記録素子とが互いに対して前記ピッチで２記録素子分のピッチ以上離されているように複数に分割し、該分割された時間を駆動タイミングとして設定し、前記複数の記録素子を予め定められた順序で時分割駆動する時分割駆動手段と、
前記時分割駆動においては前記複数の記録素子を近接する予め定められた数の記録素子からなる複数のグループに形成し、該複数のグループごとに前記駆動タイミングを前記分割された時間の単位で変更する変更手段とを有することを特徴とする記録装置。
【手続補正２】
【補正対象書類名】特許請求の範囲
【補正対象項目名】請求項１３
【補正方法】変更
【補正の内容】
【請求項１３】
予め定められた方向に予め定められたピッチで配列された複数の記録素子を備えた記録ヘッドを搭載し、前記記録ヘッドを記録媒体に対して相対的に走査しながら、前記記録媒体に前記記録ヘッドからインクを吐出することにより画像を記録する記録装置の制御方法であって、
前記記録ヘッドの走査方向に関する記録解像度に対応する時間を、ある駆動タイミングで駆動される前記複数の記録素子のうちの１つの記録素子と次の駆動タイミングで駆動される前記複数の記録素子のうちの別の記録素子とが互いに対して前記ピッチで２記録素子分のピッチ以上離されているように複数に分割し、
該分割された時間を駆動タイミングとして設定することにより、前記複数の記録素子を予め定められた順序で時分割駆動する際に、前記複数の記録素子を近接する予め定められた数の記録素子からなる複数のグループに形成し、
該複数のグループごとに前記駆動タイミングを前記分割された時間の単位で変更して、記録を行うよう制御することを有することを特徴とする制御方法。
【手続補正３】
【補正対象書類名】明細書
【補正対象項目名】００１７
【補正方法】変更
【補正の内容】
【００１７】
即ち、予め定められた方向に予め定められたピッチで配列された複数の記録素子を備えた記録ヘッドを搭載し、前記記録ヘッドを記録媒体に対して相対的に走査しながら、前記記録媒体に前記記録ヘッドからインクを吐出することにより画像を記録する記録装置であって、前記記録ヘッドの走査方向に関する記録解像度に対応する時間を、ある駆動タイミングで駆動される前記複数の記録素子のうちの１つの記録素子と次の駆動タイミングで駆動される前記複数の記録素子のうちの別の記録素子とが互いに対して前記ピッチで２記録素子分のピッチ以上離されているように複数に分割し、該分割された時間を駆動タイミングとして設定し、前記複数の記録素子を予め定められた順序で時分割駆動する時分割駆動手段と、前記時分割駆動においては前記複数の記録素子を近接する予め定められた数の記録素子からなる複数のグループに形成し、該複数のグループごとに前記駆動タイミングを前記分割された時間の単位で変更する変更手段とを有することを特徴とする。
【手続補正４】
【補正対象書類名】明細書
【補正対象項目名】００１８
【補正方法】変更
【補正の内容】
【００１８】
また本発明の他の側面からすれば、予め定められた方向に予め定められたピッチで配列された複数の記録素子を備えた記録ヘッドを搭載し、前記記録ヘッドを記録媒体に対して相対的に走査しながら、前記記録媒体に前記記録ヘッドからインクを吐出することにより画像を記録する記録装置の制御方法であって、前記記録ヘッドの走査方向に関する記録解像度に対応する時間を、ある駆動タイミングで駆動される前記複数の記録素子のうちの１つの記録素子と次の駆動タイミングで駆動される前記複数の記録素子のうちの別の記録素子とが互いに対して前記ピッチで２記録素子分のピッチ以上離されているように複数に分割し、該分割された時間を駆動タイミングとして設定することにより、前記複数の記録素子を予め定められた順序で時分割駆動する際に、前記複数の記録素子を近接する予め定められた数の記録素子からなる複数のグループに形成し、該複数のグループごとに前記駆動タイミングを前記分割された時間の単位で変更して、記録を行うよう制御することを有することを特徴とする制御方法を備える。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
一対のビード部内に埋設されたビードコア相互間にわたってトロイド状に延びる少なくとも１枚以上のカーカスと、
前記カーカスのタイヤ径方向外側に複数本のコードをゴム被覆してなる少なくとも５枚以上のベルト層をタイヤ径方向に積層したベルト部と、
を備え、
前記ベルト部は、タイヤ径方向において隣り合うベルト層のコードの延在方向が交差する交差積層体と、タイヤ径方向において隣り合うベルト層のコードの延在方向が略平行となる平行積層体と、を有しており、
前記ベルト部に含まれる前記ベルト層の総数をｎとし、前記ベルト層をタイヤ径方向内側から数えた場合に、前記平行積層体のうちタイヤ径方向内側に位置するベルト層の層番をｉとしたときに、ｉ≧ｎ／２の関係を満たすように前記平行積層体が前記ベルト部に設けられていることを特徴とする重荷重用空気入りタイヤ。
【請求項２】
前記ベルト部はコード径の異なる複数のベルト層を備え、
前記平行積層体のベルト層のうちの少なくとも１枚のベルト層が、コード径が他のベルト層を構成するコードに比して最も太いコードから構成された最太ベルト層であることを特徴とする請求項１に記載の重荷重用空気入りタイヤ。
【請求項３】
前記平行積層体のベルト層が前記最太ベルト層のみからなることを特徴とする請求項２に記載の重荷重用空気入りタイヤ。
【請求項４】
前記平行積層体のベルト層のうちタイヤ径方向内側に位置するベルト層が最太ベルト層であり、タイヤ径方向外側に位置するベルト層は、コード径が前記最太ベルト層のコードより細いコードから構成されたベルト層であることを特徴とする請求項２に記載の重荷重用空気入りタイヤ。
【請求項５】
前記平行積層体のベルト層のうちタイヤ幅方向に幅広となるベルト層は、タイヤ幅方向の幅が、トレッドの接地幅に対して７５％以上１００％以下であることを特徴とする請求項１〜４のうちいずれか１項に記載の重荷重用空気入りタイヤ。
【請求項６】
前記ベルト部は、前記タイヤ径方向において、内側から外側に向けて順次積層される第１ベルト層、第２ベルト層、第３ベルト層、第４ベルト層、および第５ベルト層を有しており、
前記第１ベルト層のコードおよび前記第２ベルト層のコードが、タイヤ赤道面に対して傾斜して延びる高張力スチールコードで形成されており、
前記第３ベルト層のコードおよび前記第４ベルト層のコードが、タイヤ赤道面に対して傾斜して延びる高張力スチールコードで形成されており、
前記第５ベルト層のコードが、前記タイヤ赤道面に対して傾斜して延びる高伸長スチールコードで形成されており、
前記ベルト部が前記タイヤ径方向において第５ベルト層の外側に位置する第６ベルト層を有する場合には、前記第６ベルト層のコードが、前記タイヤ赤道面に対して傾斜して延びる高伸長スチールコードで形成されており、
前記第３ベルト層のコードおよび前記第４ベルト層のコードの前記タイヤ赤道面に対する傾斜角度は、前記第１ベルト層のコードおよび前記第２ベルト層のコードの前記タイヤ赤道面に対する傾斜角度よりも大きいことを特徴とする請求項１〜５のうちいずれか１項に記載の重荷重用空気入りタイヤ。
【請求項７】
前記ベルト部は、前記タイヤ径方向において、内側から外側に向けて順次積層される第１ベルト層、第２ベルト層、第３ベルト層、第４ベルト層、および第５ベルト層を有しており、
前記第３ベルト層および前記第４ベルト層には、コード径が最も太いコードがそれぞれ埋設されており、
前記第５ベルト層には、コード径が最も細いコードが埋設されており、
前記ベルト部が前記タイヤ径方向において前記第５ベルト層の外側に位置する第６ベルト層を有する場合には、前記第６ベルト層には、コード径が最も細いコードが埋設されており、
前記第１ベルト層および前記第２ベルト層には、中間の太さのコードがそれぞれ埋設されていることを特徴とする請求項１〜６のうちいずれか１項に記載の重荷重用空気入りタイヤ。
【請求項８】
前記ベルト部は、前記タイヤ径方向において、内側から外側に向けて順次積層される第１ベルト層、第２ベルト層、第３ベルト層、第４ベルト層、および第５ベルト層を有しており、
前記第１ベルト層および前記第２ベルト層のタイヤ幅方向の幅が、トレッドの接地幅に対して３４％以上６３％以下であり、
前記第３ベルト層の前記タイヤ幅方向の幅が、トレッドの接地幅に対して７５％以上１００％以下であり、
前記第５ベルト層のタイヤ幅方向の幅が、トレッドの接地幅に対して７５％以上１００％以下であることを特徴とする請求項１〜７のうちいずれか１項に記載の重荷重用空気入りタイヤ。
【手続補正２】
【補正対象書類名】明細書
【補正対象項目名】００４１
【補正方法】変更
【補正の内容】
【００４１】
さらに、第１ベルト層１Ｂおよび第２ベルト層２Ｂに高張力スチールコードで形成されたコード９ａ，９ｂを埋設することで、タイヤ負荷転動時に石などの突起物を踏んだ際の第３ベルト層３Ｂおよび第４ベルト層４Ｂの変形を、この第１ベルト層１Ｂおよび第２ベルト層２Ｂによって抑制することができるようにしている。そして、第３ベルト層３Ｂおよび第４ベルト層４Ｂの変形を第１ベルト層１Ｂおよび第２ベルト層２Ｂにより抑制することで、第３ベルト層３Ｂおよび第４ベルト層４Ｂの破断・損傷を防止できるようにして、ベルト部７の耐久性を向上させることができるようにしている。
【手続補正３】
【補正対象書類名】明細書
【補正対象項目名】０１２６
【補正方法】変更
【補正の内容】
【０１２６】
そして、平行積層体７Ｂの２枚のベルト層が、ともに最太ベルト層である第３ベルト層３Ｂおよび第４ベルト層４Ｂで構成されているため、平行積層体７Ｂの２枚のベルト層の両方が最太ベルト層となっている。
【手続補正４】
【補正対象書類名】明細書
【補正対象項目名】０１６０
【補正方法】変更
【補正の内容】
【０１６０】
まず、従来のベルト部を有する重荷重用空気入りタイヤ（従来例タイヤ１）、カット性向上のためにコード径、打込みを従来例タイヤ１から変更した重荷重用空気入りタイヤ（比較例タイヤ１，２）および本発明を適用したベルト部を有する重荷重用空気入りタイヤ（実施例タイヤ１，２）を試作した。
【手続補正５】
【補正対象書類名】明細書
【補正対象項目名】０１６２
【補正方法】変更
【補正の内容】
【０１６２】
また、ベルト部のベルト層の枚数は６枚（表１では、タイヤ径方向Ｒの内側から外側に向かって１Ｂ〜６Ｂとしている）である。
【手続補正６】
【補正対象書類名】明細書
【補正対象項目名】０１７５
【補正方法】変更
【補正の内容】
【０１７５】
次に、ベルト部のベルト層の枚数が５枚（表２では、タイヤ径方向Ｒの内側から外側に向かって１Ｂ〜５Ｂとしている）の重荷重用空気入りタイヤの効果を確かめるために、以下の測定を行った。
【手続補正７】
【補正対象書類名】明細書
【補正対象項目名】０１８１
【補正方法】変更
【補正の内容】
【０１８１】
具体的には、ベルト部のベルト層の枚数が６枚の重荷重用空気入りタイヤと同様の方法で、＜鋭利な突起入力に対する耐カット性評価＞および＜耐セパレーション性評価＞を行った。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記操作装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記下皿には、所定の供給口を介して遊技媒体が供給され、
前記供給口は、前記下皿の左右幅の中心よりも前記第２下皿部側にずれて設けられる
ことを特徴とする遊技機。
【請求項２】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記演出装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記下皿には、所定の供給口を介して遊技媒体が供給され、
前記供給口は、前記下皿の左右幅の中心よりも前記第２下皿部側にずれて設けられる
ことを特徴とする遊技機。
【手続補正２】
【補正対象書類名】明細書
【補正対象項目名】０００３
【補正方法】変更
【補正の内容】
【０００３】
この種の遊技機として、正面視における遊技領域の下方に、遊技領域内に打込むための遊技媒体が貯留される上皿と、上皿の下側に配置され上皿から溢れた遊技媒体が貯留される下皿とを備えているものが一般である（例えば、特許文献１）。
【手続補正３】
【補正対象書類名】明細書
【補正対象項目名】０００４
【補正方法】変更
【補正の内容】
【０００４】
しかしながら、従来の遊技機では、正面視において遊技領域の下方に上皿と下皿とが単に並んでいるだけであるため、同じような遊技機に見えてしまい、遊技者に対する訴求力が低い問題があった。
【手続補正４】
【補正対象書類名】明細書
【補正対象項目名】０００５
【補正方法】変更
【補正の内容】
【０００５】
【特許文献１】特開２００９−２８３９０号公報
【手続補正５】
【補正対象書類名】明細書
【補正対象項目名】０００６
【補正方法】変更
【補正の内容】
【０００６】
そこで、本発明は、上記の実情に鑑み、遊技者に対する訴求力の高い遊技機の提供を課題とする。
【手続補正６】
【補正対象書類名】明細書
【補正対象項目名】０００７
【補正方法】変更
【補正の内容】
【０００７】
本発明は、
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記操作装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記下皿には、所定の供給口を介して遊技媒体が供給され、
前記供給口は、前記下皿の左右幅の中心よりも前記第２下皿部側にずれて設けられる
ことを特徴とする。
また、所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記演出装置側に窪むように前記第１下皿部と一体的に設けられた第２下皿部と、を有するものであり、
さらに、前記内部空間を境として前記下皿が設けられる側の反対側には、遊技媒体を発射するためのハンドル部が設けられており、
前記膨出部は、前記ハンドル部の最前部分よりも当該遊技機の前方に突出するように設けられ、
さらに、前記下皿には、所定の供給口を介して遊技媒体が供給され、
前記供給口は、前記下皿の左右幅の中心よりも前記第２下皿部側にずれて設けられる
ことを特徴とする。
また、本発明とは別に開示する別発明の手段を以下に示す。
手段１：遊技機において、
「所定の装飾を有しており、前後に延びた軸線に対して直交する面に沿った方向から入射された光を前方へ拡散させて発光装飾可能とされている特定装飾部と、
前後に延びた軸線に対して直交する面に沿った方向へ光を照射可能な外部用光源部を有しており、前記特定装飾部に光を照射して発光装飾させる発光部と、
該発光部を、前記特定装飾部に接近した接近位置と前記特定装飾部から遠ざかった離遠位置との間で移動させる発光部移動手段と
を具備している」ことを特徴とする遊技機。
【手続補正７】
【補正対象書類名】明細書
【補正対象項目名】００７４
【補正方法】変更
【補正の内容】
【００７４】
このように、本発明によれば、訴求力の高い遊技機を提供することができる。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域と、前記遊技領域の下方に設けられ、遊技媒体が貯留される上皿と、前記上皿から遊技媒体が流入可能な下皿とを備え、所定の供給口を介して前記下皿に遊技媒体を供給可能とし、該供給口を介して供給された遊技媒体を所定の排出口から外部に排出可能に構成された遊技機であって、
前記下皿の一部であって、遊技者が遊技媒体を前方から取り出せる領域とされた第１下皿部と、
前記下皿の一部であって、前記第１下皿部から左右方向の一方側に突出するように設けられ、前記供給口が連通する第２下皿部と、
前記第２下皿部の上方を覆うカバー部と、
前記カバー部を前方から視認困難にするカバー前部材と、を備える
前記カバー部は、前記下皿における遊技媒体貯留領域の外側に形成されたカバー取付部に取り付けられる
ことを特徴とする遊技機。
【手続補正２】
【補正対象書類名】明細書
【補正対象項目名】０００３
【補正方法】変更
【補正の内容】
【０００３】
この種の遊技機として、正面視における遊技領域の下方に、遊技領域内に打込むための遊技媒体が貯留される上皿と、上皿の下側に配置され上皿から溢れた遊技媒体が貯留される下皿とを備えているものが一般である（例えば、特許文献１）。
【手続補正３】
【補正対象書類名】明細書
【補正対象項目名】０００４
【補正方法】変更
【補正の内容】
【０００４】
しかしながら、従来の遊技機では、遊技機の見栄えが悪く、遊技者に対する訴求力が低い問題があった。
【手続補正４】
【補正対象書類名】明細書
【補正対象項目名】０００５
【補正方法】変更
【補正の内容】
【０００５】
【特許文献１】特開２００９−２８３９０号公報
【手続補正５】
【補正対象書類名】明細書
【補正対象項目名】０００６
【補正方法】変更
【補正の内容】
【０００６】
そこで、本発明は、上記の実情に鑑み、遊技者に対する訴求力の高い遊技機の提供を課題とする。
【手続補正６】
【補正対象書類名】明細書
【補正対象項目名】０００７
【補正方法】変更
【補正の内容】
【０００７】
本発明は、
所定の遊技が行われる遊技領域と、前記遊技領域の下方に設けられ、遊技媒体が貯留される上皿と、前記上皿から遊技媒体が流入可能な下皿とを備え、所定の供給口を介して前記下皿に遊技媒体を供給可能とし、該供給口を介して供給された遊技媒体を所定の排出口から外部に排出可能に構成された遊技機であって、
前記下皿の一部であって、遊技者が遊技媒体を前方から取り出せる領域とされた第１下皿部と、
前記下皿の一部であって、前記第１下皿部から左右方向の一方側に突出するように設けられ、前記供給口が連通する第２下皿部と、
前記第２下皿部の上方を覆うカバー部と、
前記カバー部を前方から視認困難にするカバー前部材と、を備える
前記カバー部は、前記下皿における遊技媒体貯留領域の外側に形成されたカバー取付部に取り付けられる
ことを特徴とする。
また、本発明とは別に開示する別発明の手段を以下に示す。
手段１：遊技機において、
「遊技媒体を用いた遊技が行われる遊技領域と、
該遊技領域の後端を区画している透明板状の遊技パネルと、
後側に他の造型体を配置するスペースが形成されるように該遊技パネルの後側で後面に接近して配置されており、前面に立体的な装飾部が形成されている透明板状の装飾レンズ体と、
該装飾レンズ体の外周面のうち前記遊技パネルの面に沿った方向の外側を向いた外周面と対面するように配置されており、前記装飾レンズ体の外周面へ向かって光を照射する光源手段と
を具備している」ことを特徴とする遊技機。
【手続補正７】
【補正対象書類名】明細書
【補正対象項目名】００６４
【補正方法】変更
【補正の内容】
【００６４】
このように、本発明によれば、訴求力の高い遊技機を提供することができる。
【手続補正書】
【提出日】平成29年12月19日(2017.12.19)
【手続補正１】
【補正対象書類名】明細書
【補正対象項目名】０００７
【補正方法】変更
【補正の内容】
【０００７】
本発明者らは、研究を重ねた結果、担体、銀及びレニウムを含むエチレンオキシド製
造用触媒において、該担体が担体中にケイ素を特定量含み、ログ微分細孔容積のピークが
少なくとも二つ存在し、該ピークの少なくとも一つが特定範囲にある担体であるエチレン
オキシド製造用触媒とすることにより、前記課題を解決したのである。
すなわち、本発明の要旨は下記［１］〜［４］に存する。
［１］担体、銀及びレニウムを含むエチレンオキシド製造用触媒であって、
該担体が担体中にケイ素をＳｉＯ２換算で０．０１重量％〜１．０重量％含み、水銀圧
入法により測定される細孔分布において、細孔直径０．０１μｍ〜１００μｍの範囲に、
ログ微分細孔容積の極大値が０．２ｍｌ／ｇ以上のピークが少なくとも二つ存在し、比表
面積が１．０ｍ２／ｇ〜１．７ｍ２／ｇであって、該ピークの少なくとも一つが０．５μ
ｍ〜３．０μｍの範囲に存在する担体である、エチレンオキシド製造用触媒。
【手続補正２】
【補正対象書類名】明細書
【補正対象項目名】０００８
【補正方法】変更
【補正の内容】
【０００８】
［２］前記担体の吸水率が４０重量％〜７０重量％である、[１]に記載のエチレンオキシ
ド製造用触媒。
［３］前記担体が更にナトリウムを含み、ナトリウム含有量が担体中にＮａ２Ｏ換算で１
０重量ｐｐｍ〜１５００重量ｐｐｍである[１]又は[２]に記載のエチレンオキシド製造用
触媒。
【手続補正３】
【補正対象書類名】明細書
【補正対象項目名】０００９
【補正方法】変更
【補正の内容】
【０００９】
［４］前記［１］乃至［３］のいずれかに記載のエチレンオキシド製造用触媒の存在下、
エチレンを酸化しエチレンオキシドとする、エチレンオキシドの製造方法。
【手続補正４】
【補正対象書類名】特許請求の範囲
【補正対象項目名】全文
【補正方法】変更
【補正の内容】
【特許請求の範囲】
【請求項１】
担体、銀及びレニウムを含むエチレンオキシド製造用触媒であって、
該担体が担体中にケイ素をＳｉＯ２換算で０．０１重量％〜１．０重量％含み、水銀圧
入法により測定される細孔分布において、細孔直径０．０１μｍ〜１００μｍの範囲に、
ログ微分細孔容積の極大値が０．２ｍｌ／ｇ以上のピークが少なくとも二つ存在し、比表
面積が１．０ｍ２／ｇ〜１．７ｍ２／ｇであって、該ピークの少なくとも一つが０．５μ
ｍ〜３．０μｍの範囲に存在する担体である、エチレンオキシド製造用触媒。
【請求項２】
前記担体の吸水率が４０重量％〜７０重量％である、請求項１に記載のエチレンオキシ
ド製造用触媒。
【請求項３】
前記担体が更にナトリウムを含み、ナトリウム含有量が担体中にＮａ２Ｏ換算で１０重
量ｐｐｍ〜１５００重量ｐｐｍである請求項１又は２に記載のエチレンオキシド製造用触
媒。
【請求項４】
前記請求項１乃至３のいずれか１項に記載のエチレンオキシド製造用触媒の存在下、エ
チレンを酸化しエチレンオキシドとする、エチレンオキシドの製造方法。